(57)【特許請求の範囲】
【請求項１】
四隅の柱の上下端を天井梁および床梁で連結して直方体状に形成されたフレームを有する建物ユニットを複数有するユニット式建物であって、
長さ方向に隣接して配置された２つの基準建物ユニットと、
これら基準建物ユニットから幅方向に所定間隔離れて配置された２つの離隔建物ユニットと、
前記互いに隣接する基準建物ユニット同士の間に形成された梁空間および前記互いに隣接する離隔建物ユニット同士の間に形成された梁空間に跨って設けられ、かつ前記基準建物ユニットおよび前記離隔建物ユニットを連結する連結梁と、
前記連結梁に沿って設けられて前記基準建物ユニットおよび前記離隔建物ユニットを連結する連結補助梁とを備え、
前記各建物ユニットは、前記梁空間に面する内側妻面と、この内側妻面と反対側の外側妻面とを有し、
少なくとも１つの前記基準建物ユニットの外側妻面と、この基準建物ユニットに相対向する離隔建物ユニットの外側妻面とは、長さ方向の相対位置が異なり、
前記長さ方向の相対位置が異なる各外側妻面のうち前記連結梁からの建物ユニットの長さ方向における距離が短い方の外側妻面に沿って、前記連結補助梁が設けられていることを特徴とするユニット式建物。
【請求項２】
請求項１に記載のユニット式建物において、
前記各梁空間は、長さ方向の相対位置が略同じとされ、
前記連結梁は、前記各梁空間に沿って延びる２つの梁部分を有する直線状の梁本体と、この梁本体の両端側に設けられて前記各梁空間を形成する前記建物ユニットに接続される接続部とを備えていることを特徴とするユニット式建物。
【請求項３】
請求項１に記載のユニット式建物において、
前記各梁空間は、長さ方向の相対位置が異なり、
前記連結梁は、前記各梁空間に沿って延びる２つの梁部分を有する平面略Ｚ字形状の梁本体と、この梁本体の両端側に設けられて前記各梁空間を形成する前記建物ユニットに接続される接続部とを備えていることを特徴とするユニット式建物。
【請求項４】
請求項１に記載のユニット式建物において、
前記梁空間のうち一方は、所定幅を有し、
前記各梁空間は、長さ方向の相対位置が略同じとされ、
前記連結梁は、前記梁空間のうち一方を形成する前記各建物ユニットに沿って延びる２つの梁部分と、前記梁空間のうち他方に沿って延びる１つの梁部分とを有する平面略Ｙ字形状の梁本体と、
この梁本体の両端側に設けられて前記各梁空間を形成する前記建物ユニットに接続される接続部とを備えていることを特徴とするユニット式建物。
【請求項５】
請求項１に記載のユニット式建物において、
前記各梁空間は、所定幅を有し、かつ、長さ方向の相対位置が異なり、
前記連結梁は、前記各梁空間を形成する前記各建物ユニットに沿って延びる４つの梁部分を有する平面略Ｚ字形状の梁本体と、
この梁本体の両端側に設けられて前記各梁空間を形成する前記建物ユニットに接続される接続部とを備えていることを特徴とするユニット式建物。
【発明の詳細な説明】
【０００１】
【発明の属する技術分野】
本発明は、所定間隔おいて配置された直方体状の建物ユニットと、これら建物ユニット同士を連結する連結梁とを備えたユニット式建物に関する。
【０００２】
【背景技術】
従来より、工場で製造した箱状の建物ユニットを、建築現場で複数連結させて建築されるユニット式建物が利用されている。
このユニット式建物を形成する建物ユニットとしては、四隅の柱の上下端を天井梁および床梁で連結した箱状のフレームを有するものが一般的である。フレームには、天井梁に支持される天井面材、床梁に支持される床面材および部屋を仕切る間仕切壁等の内装材や、軽量気泡コンクリート等で形成された外壁等の外装材が工場で組付けられる。（特開平８−２７７５８０号公報参照）
【０００３】
このようなユニット式建物によれば、工場において箱状のフレームに内装材や外装材の取り付け作業まで行って建物ユニットを製造した後、その建物ユニットを現場に運搬して連結作業を行うだけで建物が完成するから、建築現場での作業が大幅に削減され、工事を短期間で完了できるというメリットが得られる。
ところで、ユニット式建物の設計作業は、複数の建物ユニットを組み合わせることによって行われる。具体的には、建物ユニットの個数を増減させながら、これら建物ユニットの組み合わせを検討する。
【０００４】
【発明が解決しようとする課題】
しかし、ユニット式建物の大きさや形状の調整が建物ユニット単位で行われるため、敷地に対応して建物の大きさを設定することができず、敷地の有効活用を図ることが困難になる場合があった。
【０００５】
本発明の目的は、敷地を有効活用できるユニット式建物を提供することにある。
【０００６】
【課題を解決するための手段】
上記目的を達成するため、本発明のユニット式建物は、次の構成を採用する。
本発明を図面を参照して説明すると、請求項１に記載のユニット式建物は、四隅の柱４１の上下端を天井梁４２および床梁４３で連結して直方体状に形成されたフレーム４０を有する建物ユニット１６を複数有するユニット式建物１０，１０Ａ〜１０Ｅであって、長さ方向に隣接して配置された２つの基準建物ユニット２０と、これら基準建物ユニットから幅方向に所定間隔離れて配置された２つの離隔建物ユニット３０と、前記互いに隣接する基準建物ユニット同士の間に形成された梁空間２１および前記互いに隣接する離隔建物ユニット同士の間に形成された梁空間３１に跨って設けられ、かつ前記基準建物ユニットおよび前記離隔建物ユニットを連結する連結梁５０，５０Ａ〜５０Ｈと、前記連結梁に沿って設けられて前記基準建物ユニットおよび前記離隔建物ユニットを連結する連結補助梁とを備え、前記各建物ユニットは、前記梁空間に面する内側妻面２２，３２と、この内側妻面と反対側の外側妻面２３，３３とを有し、少なくとも１つの前記基準建物ユニットの外側妻面と、この基準建物ユニットに相対向する離隔建物ユニットの外側妻面とは、長さ方向の相対位置が異なり、前記長さ方向の相対位置が異なる各外側妻面のうち前記連結梁からの建物ユニットの長さ方向における距離が短い方の外側妻面に沿って、前記連結補助梁５５が設けられていることを特徴とする。
【０００７】
この発明によれば、基準建物ユニットと離隔建物ユニットとの間の間隔を適宜調整するとともに、この間隔に対応させて連結梁の長さ寸法を設定することにより、ユニット式建物の幅寸法を容易に調整できる。したがって、敷地の幅寸法に応じて、容易にユニット式建物を建築できるから、敷地を有効活用できる。
また、連結梁直下の空間を居住空間として利用できるため、ユニット式建物を構成する建物ユニットの数量を減らすことができるから、ユニット式建物の製造コストを低減できる。
さらに、例えば、少なくとも１つの基準建物ユニットの外側妻面を、相対向する離隔建物ユニットの外側妻面よりも引っ込めたり、突出させたりして配置することによって、ユニット式建物を台形状とすることができる。
このうち、例えば、２つの基準建物ユニットのうち一方の外側妻面を離隔建物ユニットの外側妻面よりも引っ込めて配置し、他方の外側妻面を離隔建物ユニットの外側妻面よりも突出させることによって、ユニット式建物を平行四辺形状とすることができる。
したがって、敷地の形状に応じて容易にユニット式建物を建築できるから、敷地を有効活用できる。
【０００９】
この発明によれば、例えば、少なくとも１つの基準建物ユニットの外側妻面を、相対向する離隔建物ユニットの外側妻面よりも引っ込めたり、突出させたりして配置することによって、ユニット式建物を台形状とすることができる。
このうち、例えば、２つの基準建物ユニットのうち一方の外側妻面を離隔建物ユニットの外側妻面よりも引っ込めて配置し、他方の外側妻面を離隔建物ユニットの外側妻面よりも突出させることによって、ユニット式建物を平行四辺形状とすることができる。
したがって、敷地の形状に応じて容易にユニット式建物を建築できるから、敷地を有効活用できる。
【００１０】
請求項３に記載のユニット式建物は、請求項１または２に記載のユニット式建物において、前記各梁空間は、長さ方向の相対位置が同じとされ、前記連結梁は、前記各梁空間に沿って延びる２つの梁部分５３，５４を有する直線状の梁本体５１と、この梁本体の両端側に設けられて前記各梁空間を形成する前記建物ユニットに接続される接続部５２とを備えていることを特徴とする。
この発明によれば、連結梁の梁本体を直線状としたので、連結梁を簡単な構成にでき、コストを低減できる。
【００１１】
請求項４に記載のユニット式建物は、請求項１または２に記載のユニット式建物において、前記各梁空間は、長さ方向の相対位置が異なり、前記連結梁は、前記各梁空間に沿って延びる２つの梁部分を有する平面略Ｚ字形状の梁本体と、この梁本体の両端側に設けられて前記各梁空間を形成する前記建物ユニットに接続される接続部とを備えていることを特徴とする。
【００１２】
この発明によれば、各梁空間の長さ方向の相対位置を異なるものとし、これら梁空間に対応した形状に連結梁を形成したので、例えば、ユニット式建物を台形状や平行四辺形状とする場合、離隔建物ユニット自体の長さ寸法を調整しなくても、離隔建物ユニットを長さ方向に移動させるだけで、離隔建物ユニットの外側妻面を基準建物ユニットの外側妻面に対して自在に設定でき、コストを低減できる。
【００１３】
請求項５に記載のユニット式建物は、請求項１または２に記載のユニット式建物において、前記梁空間のうち一方は、所定幅を有し、前記各梁空間は、長さ方向の相対位置が略同じとされ、前記連結梁は、前記梁空間のうち一方を形成する前記各建物ユニットに沿って延びる２つの梁部分と、前記梁空間のうち他方に沿って延びる１つの梁部分とを有する平面略Ｙ字形状の梁本体と、この梁本体の両端側に設けられて前記各梁空間を形成する前記建物ユニットに接続される接続部とを備えていることを特徴とする。
【００１４】
この発明によれば、隣接する建物ユニット同士の間隔を調整することによって梁空間のうち一方を所定幅とするとともに、この梁空間を形成する各建物ユニットに沿って連結梁を配置したので、ユニット式建物の長さ寸法を容易に調整できる。
したがって、敷地の長さ寸法に応じて、容易にユニット式建物を建築できるから、敷地を有効活用できる。
また、所定幅を有する梁空間を利用して、例えば、吹き抜けや階段等を設置でき、設計の自由度を向上できる。
【００１５】
請求項６に記載のユニット式建物は、請求項１または２に記載のユニット式建物において、前記各梁空間は、所定幅を有し、かつ、長さ方向の相対位置が異なり、前記連結梁は、前記各梁空間を形成する前記各建物ユニットに沿って延びる４つの梁部分を有する平面略Ｚ字形状の梁本体と、この梁本体の両端側に設けられて前記各梁空間を形成する前記建物ユニットに接続される接続部とを備えていることを特徴とする。
【００１６】
この発明によれば、請求項４と同様に、ユニット式建物を台形状や平行四辺形状とする場合、離隔建物ユニット自体の長さ寸法を調整しなくても、離隔建物ユニットを長さ方向に移動させるだけで、離隔建物ユニットの外側妻面を基準建物ユニットの外側妻面に対して自在に設定でき、コストを低減できる。
また、請求項５と同様に、敷地の長さ寸法に応じて、容易にユニット式建物を建築できるから、敷地を有効活用できるうえに、所定幅を有する梁空間を利用して、例えば、吹き抜けや階段等を設置して設計の自由度を向上できる。
【００１７】
【発明の実施の形態】
以下、本発明の実施形態を図面に基づいて説明する。なお、以下の実施形態の説明にあたって、同一構成要件については同一符号を付し、その説明を省略もしくは簡略化する。
［第１実施形態］
図１には、本実施形態に係るユニット式建物１０の全体斜視図が示されている。このユニット式建物１０は、台形状の敷地１７に建築され、基礎１１と、この基礎１１の上に形成される建物本体１２と、この建物本体１２の上に形成される屋根１３とを備えている。
このうち、建物本体１２は、１階建物ユニット１４と、この１階建物ユニット１４の上に積層された２階建物ユニット１５とを備えている。
【００１８】
１階建物ユニット１４および２階建物ユニット１５は、複数の建物ユニット１６を含んで構成されている。
建物ユニット１６は、図２に示すように、四隅の柱４１の上下端を連結する天井梁４２および床梁４３を有する箱状のフレーム４０を備えている。このうち、柱４１と天井梁４２とは、柱４１の柱頭側に配置される柱頭接合部材４５を介して連結され、柱４１と床梁４３とは、柱４１の柱脚側に配置される柱脚接合部材４６を介して連結されている。
天井梁４２としては、長さの異なる短辺天井梁４２Ａおよび長辺天井梁４２Ｂの二種類が設けられ、床梁４３としては、長さの異なる短辺床梁４３Ａおよび長辺床梁４３Ｂの二種類が設けられている。また、対向する長辺天井梁４２Ｂの間には、天井面材を支持するための天井小梁４２Ｃが架け渡され、また、対向する長辺床梁４３Ｂの間には、床を形成するパーチクルボード等の床面材を支持するための複数の根太４３Ｃが架け渡されている。
【００１９】
図３には、１階建物ユニット１４の平面図が示されている。
１階建物ユニット１４は、建物ユニット１６を長さ方向に隣接して配置して形成した２つの基準建物ユニット２０と、これら基準建物ユニット２０から幅方向に所定間隔Ｘだけ離れて建物ユニット１６を配置して形成した２つの離隔建物ユニット３０と、基準建物ユニット２０および離隔建物ユニット３０を連結する連結梁５０および連結補助梁５５とを備えている。
【００２０】
連結梁５０は、互いに隣接する基準建物ユニット２０同士の間に形成された梁空間２１および互いに隣接する離隔建物ユニット３０同士の間に形成された梁空間３１に跨って設けられている。なお、各建物ユニット２０，３０の側面のうち、梁空間２１，３１に面する側面を内側妻面２２，３２とし、この内側妻面２２，３２と反対側の側面を外側妻面２３，３３とする。
連結補助梁５５は、建物本体１２の外周、具体的には、離隔建物ユニット３０の外側妻面３３に沿って設けられている。
【００２１】
１つの基準建物ユニット２０（ここでは、図３中右側の基準建物ユニット２０）の外側妻面２３は、この基準建物ユニット２０に相対向する離隔建物ユニット３０の外側妻面３３より突出しており、長さ方向の相対位置が異なるものとなっている。これにより、ユニット式建物１０の平面形状は、台形状の敷地１７に対応した台形状となっている。
２階建物ユニット１５は、１階建物ユニット１４と同様に構成されている。
【００２２】
図４には、上下の建物ユニット１６同士の連結部分Ａ(図３参照)の分解斜視図が示されている。
建物ユニット１６同士の連結には、平板状のプレートとしてのシアプレート６０が用いられる。シアプレート６０が、１階建物ユニット１４の柱頭接合部材４５と、この柱頭接合部材４５の上に配置される２階建物ユニット１５の柱脚接合部材４６との間に介装されることにより、上下方向に隣接する建物ユニット１６同士が連結される。
また、連結部分Ａのうち連結補助梁５５が配置される部分では、シアプレート６０は、連結補助梁５５と一体とされている。さらに、シアプレート６０を水平方向に隣接する建物ユニット１６に跨って配置すれば、水平方向に隣接する建物ユニット２０同士を連結することもできる。
【００２３】
具体的には、１階建物ユニット１４の柱頭接合部材４５の上面には、位置決めピン４５Ａと、挿通孔４５Ｂとが設けられ、２階建物ユニット１５の柱脚接合部材４６の下面には、図示しない位置決め孔と、挿通孔４６Ｂとが設けられている。また、シアプレート６０には、位置決め孔６０Ａと挿通孔６０Ｂとが設けられている。
１階建物ユニット１４の柱頭接合部材４５の位置決めピン４５Ａが、シアプレート６０の位置決め孔６０Ａに挿通されて、２階建物ユニット１５の柱脚接合部材４６の位置決め孔に嵌合されることにより、上下の建物ユニット１６同士の位置が決定される。そして、１階建物ユニット１４の柱頭接合部材４５の挿通孔４５Ｂ、シアプレート６０の挿通孔６０Ｂおよび２階建物ユニット１５の柱脚接合部材４６の挿通孔４６Ｂにボルト８１Ａが挿通され、このボルト８１Ａにナット８１Ｂが螺合されて緊締されることにより、上下の建物ユニット１６同士が連結される。
【００２４】
図５には、連結梁５０の全体斜視図が示されている。
連結梁５０は、梁空間２１，３１に配置される２つの梁部分５３，５４を有しかつ断面長方形かつ直線状の梁本体５１と、梁本体５１の両端側各２箇所でかつ高さ方向中間に略水平に設けられた平板状の接続部５２とを備えている。
接続部５２は、梁本体５１に設けられたスリットにシアプレート６０の２枚分に相当するプレートが嵌挿されて形成されている。すなわち、接続部５２は、シアプレート６０と同様に、各階建物ユニット１４，１５に連結するための複数の位置決め孔６０Ａおよび挿通孔６０Ｂを有している。
【００２５】
図６には、連結梁５０と建物ユニット２０，３０との連結部分Ｂ（図３参照）の断面図が示されている。
連結梁５０の梁部分５３，５４は、各梁空間２１，３１に沿って延びており、梁部分５３，５４の梁幅Ｗは、これら梁空間２１，３１より僅かに狭くなっている。また、梁本体５１の梁背Ｈは、１階建物ユニット１４の天井梁４２および２階建物ユニット１５の床梁４３に跨るように設けられている。
連結梁５０の接続部５２は、シアプレート６０と同様の接続方法で、各梁空間２１，３１を形成する建物ユニット２０，３０に接続されている。したがって、接続部５２を介して、互いに隣接する基準建物ユニット２０同士および離隔建物ユニット３０同士も連結される。
【００２６】
次に、ユニット式建物１０の組立手順を説明する。
まず、建物ユニット１６および連結梁５０を工場で製作した後、建築現場に運搬する。現場では、図７に示すように、各建物ユニット１６を配置して、基準建物ユニット２０および離隔建物ユニット３０を形成し、１階建物ユニット１４とする。
次に、連結梁５０で、隣接する基準建物ユニット２０同士および離隔建物ユニット３０同士を連結するとともに、相対向する基準建物ユニット２０と離隔建物ユニット３０とを連結する。
【００２７】
続いて、図示しないが、シアプレート６０および連結梁５０の接続部５２を挟み込みながら、建物ユニット１６を１階建物ユニット１４上に積層して２階建物ユニット１５を形成し、１階建物ユニット１４および２階建物ユニット１５をボルト８１Ａおよびナット８１Ｂで連結する。
次に、２階建物ユニット１５についても、１階建物ユニット１４と同様に、連結梁５０を架け渡した後、この２階建物ユニット１５の上に屋根１３を取り付ける。
【００２８】
したがって、本実施形態によれば以下の効果がある。
（１）基準建物ユニット２０と離隔建物ユニット３０との間の間隔Ｘを適宜調整するとともに、この間隔Ｘに対応させて連結梁５０の長さ寸法を設定することにより、ユニット式建物１０の幅寸法を容易に調整できる。したがって、敷地の幅寸法に応じて、容易にユニット式建物１０を建築できるから、敷地を有効活用できる。
また、連結梁５０直下の空間を居住空間として利用できるため、ユニット式建物１０を構成する建物ユニット１６の数量を減らすことができるから、ユニット式建物１０の製造コストを低減できる。
【００２９】
（２）１つの基準建物ユニット２０の外側妻面２３を、相対向する離隔建物ユニット３０の外側妻面３３よりも突出させて配置したので、ユニット式建物を台形状とすることができる。したがって、敷地の形状に応じて容易にユニット式建物を建築できるから、敷地を有効活用できる。
【００３０】
（３）連結梁５０の梁本体５１を直線状としたので、連結梁５０を簡単な構成にでき、コストを低減できる。
【００３１】
［第２実施形態］
図８には、本実施形態に係るユニット式建物１０Ａの概略平面図が示されている。
本実施形態では、各梁空間２１，３１の長さ方向の相対位置と、連結梁５０Ａの形状とが、第１実施形態と異なっている。
すなわち、２つの基準建物ユニット２０のうち一方の長さ寸法を長く、他方を短くすることにより、各梁空間２１，３１の長さ方向の相対位置が異なるものとなっている。したがって、連結梁５０Ａの梁部分５３，５４の長さ方向の相対位置も異なることとなり、梁本体５１は平面略Ｚ字形状となっている。
【００３２】
したがって、本実施形態によれば、第１実施形態で述べた(１)、(２)の効果に加え、以下の効果がある。
（４）各梁空間２１，３１の長さ方向の相対位置を異なるものとし、これら梁空間２１，３１に対応した形状に連結梁５０を形成したので、離隔建物ユニット３０自体の長さ寸法を調整しなくても、離隔建物ユニット３０を長さ方向に移動させるだけで、離隔建物ユニット３０の外側妻面３３を基準建物ユニット２０の外側妻面２３に対して自在に設定でき、コストを低減できる。
【００３３】
［第３実施形態］
図９には、本実施形態に係るユニット式建物１０Ｂの概略平面図が示されている。
本実施形態では、梁空間２１，３１のうち一方、ここでは梁空間３１の幅寸法と、連結梁５０Ｂの形状とが、第１実施形態と異なっている。
すなわち、梁空間３１は、所定幅Ｙを有する大空間３５とされている。
また、連結梁５０Ｂの大空間３５側の梁部分５４は、分岐して大空間３５を形成する離隔建物ユニット３０に沿って延びており、梁本体５１は平面略Ｙ字形状となっている。
また、連結梁５０Ｂの大空間３５側の接続部５２は、分岐した梁部分５４にそれぞれ設けられて、大空間３５を形成する離隔建物ユニット３０に接続される。
【００３４】
したがって、本実施形態によれば、第１実施形態で述べた(１)、(２)の効果に加え、以下の効果がある。
（５）隣接する離隔建物ユニット３０同士の間隔を調整することによって梁空間３１を所定幅Ｙを有する大空間３５とするとともに、この大空間３５を形成する各離隔建物ユニット３０に沿って連結梁５０Ｂを配置したので、ユニット式建物１０の長さ寸法を容易に調整できる。
したがって、敷地の長さ寸法に応じて、容易にユニット式建物１０Ｂを建築できるから、敷地を有効活用できる。
また、大空間３５を利用して、例えば、吹き抜けや階段等を設置でき、設計の自由度を向上できる。
【００３５】
［第４実施形態］
図１０には、本実施形態に係るユニット式建物１０Ｃの概略平面図が示されている。
本実施形態では、梁空間２１，３１の幅寸法および長さ方向の相対位置と、連結梁５０Ｃの形状とが、第１実施形態と異なっている。
すなわち、梁空間２１，３１は、所定幅Ｙを有する大空間２５，３５とされている。２つの基準建物ユニット２０のうち一方の長さ寸法を長く、他方を短くすることにより、各大空間２５，３５の長さ方向の相対位置が異なるものとなっている。
【００３６】
また、連結梁５０Ｃの大空間２５，３５側の梁部分５３，５４は、分岐して大空間２５，３５を形成する各建物ユニット２０，３０に沿って延びている。なお、分岐した梁部分５３のうちの１つは、分岐した梁部分５４のうちの１つと直線状になっており、梁本体５１は、全体として平面略Ｚ字形状となっている。
また、連結梁５０Ｂの接続部５２は、分岐した梁部分５３，５４にそれぞれ設けられて、各建物ユニット２０，３０に接続される。
【００３７】
したがって、本実施形態によれば、第１実施形態で述べた(１)、(２)の効果に加え、以下の効果がある。
（６）大空間２５，３５の長さ方向の相対位置を異なるものとし、これら大空間２５，３５に対応した形状に連結梁５０Ｃを形成したので、離隔建物ユニット３０自体の長さ寸法を調整しなくても、離隔建物ユニット３０を長さ方向に移動させるだけで、離隔建物ユニット３０の外側妻面３３を基準建物ユニット２０の外側妻面２３に対して自在に設定でき、コストを低減できる。
【００３８】
（７）隣接する建物ユニット２０，３０同士の間隔を調整することによって梁空間２１，３１を所定幅Ｙを有する大空間２５，３５とするとともに、この大空間２５，３５を形成する建物ユニット２０，３０に沿って連結梁５０Ｃを配置したので、ユニット式建物１０Ｃの長さ寸法を容易に調整できる。
したがって、敷地の長さ寸法に応じて、容易にユニット式建物１０Ｃを建築できるから、敷地を有効活用できる。
また、大空間３５を利用して、例えば、吹き抜けや階段等を設置でき、設計の自由度を向上できる。
【００３９】
［第５実施形態］
図１１には、本実施形態に係るユニット式建物１０Ｄの概略平面図が示されている。
本実施形態では、梁空間２１，３１のうち一方、ここでは梁空間３１の幅寸法と、連結梁５０Ｄ，５０Ｅの形状とが、第１実施形態と異なっている。
すなわち、梁空間２１，３１は、所定幅Ｙを有する大空間３５とされている。
【００４０】
また、連結梁５０Ｄは、連結梁５０と同様の構成であるが、連結梁５０Ｄの梁部分５４は、大空間３５を形成する一方の離隔建物ユニット３０に沿って延びている。梁部分５４の接続部５２は、大空間３５を形成する一方の離隔建物ユニット３０に接続される。
連結梁５０Ｅは、直線状とされ、梁空間２１側の梁部分５３を有していない。連結梁５０Ｅの梁部分５４は、大空間３５を形成する他方の離隔建物ユニット３０に沿って延びている。梁部分５４の接続部５２は、大空間３５を形成する他方の離隔建物ユニット３０に接続される。また、連結梁５０Ｅは、梁空間２１側で基準建物ユニット２０の離隔建物ユニット３０側の側面に連結される。
【００４１】
したがって、本実施形態によれば、第１実施形態で述べた(１)、(２)の効果、、および第３実施形態で述べた(５)の効果と同様の効果がある。
【００４２】
［第６実施形態］
図１２には、本実施形態に係るユニット式建物１０Ｅの概略平面図が示されている。
本実施形態では、梁空間２１，３１の幅寸法および長さ方向の相対位置と、連結梁５０Ｆ，５０Ｇ，５０Ｈの形状とが、第１実施形態と異なっている。
すなわち、梁空間２１，３１は、所定幅Ｙを有する大空間２５，３５とされている。２つの基準建物ユニット２０のうち一方の長さ寸法を長く、他方を短くすることにより、各大空間２５，３５の長さ方向の相対位置が異なるものとなっている。
【００４３】
また、連結梁５０Ｆは、連結梁５０と同様の構成であるが、連結梁５０Ｆの梁部分５３は、大空間２５を形成する一方の基準建物ユニット２０に沿って延びており、連結梁５０Ｆの梁部分５４は、大空間３５を形成する一方の離隔建物ユニット３０に沿って延びている。
梁部分５３の接続部５２は、大空間２５を形成する一方の基準建物ユニット２０に接続される。梁部分５４の接続部５２は、大空間３５を形成する一方の離隔建物ユニット３０に接続される。
【００４４】
連結梁５０Ｇは、直線状とされ、梁空間２５側の梁部分５３を有していない。連結梁５０Ｇの梁部分５４は、大空間３５を形成する他方の離隔建物ユニット３０に沿って延びている。梁部分５４の接続部５２は、大空間３５を形成する他方の離隔建物ユニット３０に接続される。また、連結梁５０Ｇは、梁空間２５側で基準建物ユニット２０の離隔建物ユニット３０側の側面に連結される。
【００４５】
連結梁５０Ｈは、直線状とされ、梁空間３５側の梁部分５４を有していない。連結梁５０Ｈの梁部分５３は、大空間２５を形成する他方の基準建物ユニット２０に沿って延びている。梁部分５３の接続部５２は、大空間２５を形成する他方の基準建物ユニット２０に接続される。また、連結梁５０Ｈは、梁空間３５側で離隔建物ユニット３０の基準建物ユニット２０側の側面に連結される。
【００４６】
したがって、本実施形態によれば、第１実施形態で述べた(１)、(２)、および第４実施形態で述べた(６)、(７)の効果と同様の効果がある。
【００４７】
なお、本発明は前記実施形態に限定されるものではなく、本発明の目的を達成できる範囲での変形、改良等は本発明に含まれるものである。
例えば、各実施形態では、ユニット式建物１０，１０Ａ，１０Ｂ，１０Ｃを敷地１７の形状に対応した平面台形状としたが、これに限らず、梁空間２１，３１の位置や幅寸法、および建物ユニット２０，３０の大きさ等を適宜調整することにより、平面四角形状、平行四辺形状としてもよい。
【００４８】
【発明の効果】
本発明のユニット式建物によれば、次のような効果が得られる。
請求項１に記載のユニット式建物によれば、ユニット式建物の幅寸法を容易に調整できる。したがって、敷地の幅寸法に応じて、容易にユニット式建物を建築できるから、敷地を有効活用できる。また、連結梁直下の空間を居住空間として利用できるため、ユニット式建物を構成する建物ユニットの数量を減らすことができるから、ユニット式建物の製造コストを低減できる。
【００４９】
請求項２に記載のユニット式建物によれば、ユニット式建物を台形状や平行四辺形状とすることができる。したがって、敷地の形状に応じて容易にユニット式建物を建築できるから、敷地を有効活用できる。
【００５０】
請求項３に記載のユニット式建物によれば、連結梁の梁本体を直線状としたので、連結梁を簡単な構成にでき、コストを低減できる。
【００５１】
請求項４に記載のユニット式建物によれば、例えば、ユニット式建物を台形状や平行四辺形状とする場合、離隔建物ユニット自体の長さ寸法を調整しなくても、離隔建物ユニットを長さ方向に移動させるだけで、離隔建物ユニットの外側妻面を基準建物ユニットの外側妻面に対して自在に設定でき、コストを低減できる。
【００５２】
請求項５に記載のユニット式建物によれば、敷地の長さ寸法に応じて、容易にユニット式建物を建築できるから、敷地を有効活用できる。また、所定幅を有する梁空間を利用して、例えば、吹き抜けや階段等を設置でき、設計の自由度を向上できる。
【００５３】
請求項６に記載のユニット式建物によれば、請求項４と同様に、ユニット式建物を台形状や平行四辺形状とする場合、離隔建物ユニット自体の長さ寸法を調整しなくても、離隔建物ユニットを長さ方向に移動させるだけで、離隔建物ユニットの外側妻面を基準建物ユニットの外側妻面に対して自在に設定でき、コストを低減できる。また、請求項５と同様に、敷地の長さ寸法に応じて、容易にユニット式建物を建築できるから、敷地を有効活用できるうえに、所定幅を有する梁空間を利用して、例えば、吹き抜けや階段等を設置して設計の自由度を向上できる。
【図面の簡単な説明】
【図１】本発明の第１実施形態に係るユニット式建物を示す全体斜視図である。
【図２】前記実施形態に係る建物ユニットのフレームの斜視図である。
【図３】前記実施形態に係るユニット式建物の１階平面図である。
【図４】前記実施形態に係る上下の建物ユニット同士の連結部分の分解斜視図である。
【図５】前記実施形態に係る連結梁の全体斜視図である。
【図６】前記実施形態に係る連結梁と建物ユニットとの連結部分の断面図である。
【図７】前記実施形態に係るユニット式建物を組み立てる方法を説明するための分解斜視図である。
【図８】本発明の第２実施形態に係るユニット式建物を示す概略平面図である。
【図９】本発明の第３実施形態に係るユニット式建物を示す概略平面図である。
【図１０】本発明の第４実施形態に係るユニット式建物を示す概略平面図である。
【図１１】本発明の第５実施形態に係るユニット式建物を示す概略平面図である。
【図１２】本発明の第６実施形態に係るユニット式建物を示す概略平面図である。
【符号の説明】
１０，１０Ａ〜１０Ｅ      ユニット式建物
１６            建物ユニット
２０            基準建物ユニット
２１，３１      梁空間
２２，３２      内側妻面
２３，３３      外側妻面
３０            離隔建物ユニット
４０            フレーム
４１            柱
４２            天井梁
４３            床梁
５０，５０Ａ〜５０Ｈ      連結梁
５１            梁本体
５２            接続部
５３，５４      梁部分
【図１】
0003995083.tif 000002
【図２】
0003995083.tif 000003
【図３】
0003995083.tif 000004
【図４】
0003995083.tif 000005
【図５】
0003995083.tif 000006
【図６】
0003995083.tif 000007
【図７】
0003995083.tif 000008
【図８】
0003995083.tif 000009
【図９】
0003995083.tif 000010
【図１０】
0003995083.tif 000011
【図１１】
0003995083.tif 000012
【図１２】
0003995083.tif 000013